(57)【要約】      （修正有）【課題】缶胴部の外面形状に拘わらず断熱でき、且つ缶に対して着脱できる缶用断熱カバーを提供する。【解決手段】缶用断熱カバー１は、缶９に着脱可能な複数の分割カバー２を組み合わせることにより構成され、分割カバー２が、缶胴部９１の外面の一部を覆い且つ内面に複数の突起部６が突設された本体３と、本体３の上方に設けられ且つ缶胴部９１の上端周囲に形成された缶フランジ部９２に嵌脱可能な嵌合部４と、本体３の下方に設けられ且つ缶胴部９１の下端部に係脱可能な係止部５と、を有する。【選択図】図１
0003150953.tif 000002
【実用新案登録請求の範囲】
【請求項１】
缶に着脱可能な複数の分割カバーを組み合わせることにより構成され、
前記分割カバーが、缶胴部の外面の一部を覆い且つ内面に複数の突起部が突設された本体と、前記本体の上方に設けられ且つ缶胴部９１の上端周囲に形成された缶フランジ部に嵌脱可能な嵌合部と、前記本体の下方に設けられ且つ缶胴部の下端部に係脱可能な係止部と、を有することを特徴とする缶用断熱カバー。
【請求項２】
缶底面を覆う底面体が前記係止部から一体的に延設されている請求項１に記載の缶用断熱カバー。
【請求項３】
２つの分割カバーにより構成されており、前記分割カバーの本体が略半円曲面状に形成されている請求項１又は２に記載の缶用断熱カバー。
【考案の詳細な説明】
【技術分野】
【０００１】
本考案は、缶の胴部に取り付け可能な缶用断熱カバーに関する。
【背景技術】
【０００２】
従来より、食品、飲料などの飲食物が缶に入れられて流通している。
これら飲食物を食するときに、飲食物を加熱又は冷凍することも行われている。例えば、缶をホットウオーマーに入れて温めたり、或いは、缶を冷凍庫に入れて冷凍したりなどすることが行われている。また、缶に入れられた飲食物が即席食品の場合、缶内にお湯を注ぐこともある。
このように加熱又は冷凍されると、内部の熱が缶胴部を通じて持ち手に伝わるで、缶を掴み難くなる。
【０００３】
このような問題点に鑑みて、特許文献１には、缶胴側面に凹部を設け、缶胴外周を断熱ラベルで覆った缶が開示されている。
【先行技術文献】
【特許文献】
【０００４】
【特許文献１】特開２００６−３３５３７２号公報
【考案の概要】
【考案が解決しようとする課題】
【０００５】
しかしながら、上記特許文献１の手段では、缶胴部にエンボス加工などを行ってその外面に凹部を形成しなければならず、例えば、円滑な曲面状の缶胴部を有する缶に対しては十分に断熱できず、缶胴部の外面形状が限定される。さらに、断熱ラベルの装着作業も必要である。
また、全ての缶が、必ず加熱又は冷凍されるわけではなく、必要に応じて加熱又は冷凍が行われる。このため、上記断熱ラベルが装着されている缶でも、加熱又は冷凍されない場合もあり、そのような缶に対してまで断熱ラベルを装着することは、コスト面及び環境面において好ましくない。
【０００６】
本考案の課題は、缶胴部の外面形状に拘わらず断熱でき、且つ缶に対して着脱できる缶用断熱カバーを提供することである。
【課題を解決するための手段】
【０００７】
本考案の缶用断熱カバーは、缶に着脱可能な複数の分割カバーを組み合わせることにより構成され、前記分割カバーが、缶胴部の外面の一部を覆い且つ内面に複数の突起部が突設された本体と、前記本体の上方に設けられ且つ缶胴部の上端周囲に形成された缶フランジ部に嵌脱可能な嵌合部と、前記本体の下方に設けられ且つ缶胴部の下端部に係脱可能な係止部と、を有する。
【０００８】
本考案の缶用断熱カバーは、缶に着脱可能な複数の分割カバーを組み合わせることにより構成される。
この分割カバーは、缶胴部の外面の一部を覆い且つ内面に複数の突起部が突設された本体を有するので、それを缶胴部に取り付けたとき、前記突起部の頂部が缶胴部の外面に接触する。このため、缶胴部の外面と本体との間に空隙が生じ、該空隙によって缶胴部を断熱できる。本考案の缶用断熱カバーは、このように分割カバーに突起部が設けられているので、円滑な曲面状の缶胴部を有する缶、及び凹凸状の缶胴部を有する缶の何れでも、上記断熱効果を発揮できる。
また、分割カバーは、缶フランジ部に嵌脱可能な嵌合部と、缶胴部の下端部に係脱可能な係止部と、を有するので、缶胴部に確実に取り付けることができ、又、取り外すこともできる。
従って、本考案の缶用断熱カバーを所望の缶（断熱が必要な缶）に適宜取り付けて、これ断熱することができる。
【０００９】
本考案の好ましい缶用断熱カバーは、缶底面を覆う底面体が前記係止部から一体的に延設されている。
かかる缶用断熱カバーは、缶に取り付けたとき、その底面体によって缶底面を覆うことができるので、缶底面についても断熱できる。
【００１０】
本考案の他の好ましい缶用断熱カバーは、２つの分割カバーにより構成されており、分割カバーの本体が略半円曲面状に形成されている。
【考案の効果】
【００１１】
本考案の缶用断熱カバーは、所望の缶に簡単に取り付けることができる。該缶用断熱カバーは、缶胴部の外面が凹凸状に形成されていなくても、該缶胴部を断熱できる。加熱又は冷凍した缶に本考案の缶用断熱カバーを取り付けることにより、その缶を手で持ちやすくなる。
本考案の缶用断熱カバーは、缶から取り外すこともできるので、缶と共に廃棄せず、再利用することもできる。
【図面の簡単な説明】
【００１２】
【図１】好ましい缶用断熱カバー（２つの分割カバー）の分解斜視図。
【図２】図１の１つの分割カバーをその内面から見た正面図。
【図３】図２のＩＩＩ部拡大図。
【図４】缶用断熱カバーを缶に取り付けた状態の斜視図。
【図５】（ａ）は、図４のＶａ−Ｖａ線断面図、（ｂ）は、図４のＶｂ−Ｖｂ線断面図。
【図６】他の好ましい缶用断熱カバー（３つの分割カバー）の分解斜視図。
【図７】他の好ましい分割カバーの斜視図。
【図８】他の好ましい分割カバーの斜視図。
【考案を実施するための形態】
【００１３】
以下、本考案の好ましい実施形態について、図面を参照しつつ具体的に説明する。
なお、本明細書において、方向を示す用語として「上」及び「下」を使用するが、これは、缶に缶用断熱カバーが取り付けられた態様において、その缶を自立させた状態を基準にしている。
【００１４】
図１〜図４に於いて、１は、複数の分割カバー２を組み合わせて構成される缶用断熱カバーを示す。
缶用断熱カバー１は、図１及び図４に示すように、各分割カバー２を缶胴部９１に取り付け、隣接する分割カバー２の側部を接合することにより構成される。
【００１５】
本実施形態では、缶用断熱カバー１は、２つの分割カバー２から構成され、該２つの分割カバー２は実質的に同じ形状である。
各分割カバー２は、缶胴部９１の外面の一部を覆い且つ内面に複数の突起部６が突設された本体３と、前記本体３の上方に設けられ且つ缶胴部９１の上端周囲に形成された缶フランジ部９２に嵌脱可能な嵌合部４と、前記本体３の下方に設けられ且つ缶胴部９１の下端部に係脱可能な係止部５と、を有する。
【００１６】
具体的には、前記本体３は、缶胴部９１の外面の半分を覆うことができる略半円曲面状の板体（上面視略半円弧状）である。
この本体３の内面（取り付け時に缶胴部９１に対面する側）には、缶胴部９１の方向へ突出した複数の突起部６が形成されている。
突起部６は、分割カバー２を缶胴部９１に取り付けたときに、分割カバー２の内面と缶胴部９１の外面の間に空隙を形成できるものであれば特に限定されない。本実施形態では、前記突起部６は、凸状が連なった長い連続突起であり、それが分割カバー２の一側部から他側部にかけて形成されており、さらに、前記突起部６は、分割カバー２の上下方向に所定間隔をあけて多段状に形成されている。
突起部６の突出長は、特に限定されないが、余りに低いと十分な空隙が生じず、一方、余りに高いと突起部６が破損する可能性が高くなる。かかる点を考慮すると、突起部６の突出長は、好ましくは０．５ｍｍ〜５ｍｍであり、より好ましくは０．５ｍｍ〜３ｍｍである。
【００１７】
前記嵌合部４は、本体３の上方に設けられている。嵌合部４は、図示したように、本体３の上端に形成されていてもよいし、本体３の上端から少し下方寄りの位置に形成されていてもよい。
嵌合部４は、図３及び図５（ａ）に示すように、缶胴部９１の上端周囲に形成された缶フランジ部９２の上側に回り込み且つ缶フランジ部９２の内側に噛み込む爪部４１と、缶フランジ部９２の下端部に係止される止め部４２と、を有する。前記爪部４１と止め部４２が缶フランジ部９２を挟持するので、本体３の上方が缶フランジ部９２に固定される。
なお、本実施形態では、最上段に設けられた突起部６が、前記止め部４２を兼用している。もっとも、突起部６と独立して、止め部４２を形成してもよい。
【００１８】
前記係止部５は、本体３の下方に設けられている。係止部５は、図１及び図２のように、本体３の下端に形成されていてもよいし、本体３の下端から少し上方寄りの位置に形成されていてもよい。
係止部５は、缶胴部９１の下端部に当たって該下端部に係止される部分である。係止部５は、缶胴部９１の上端の缶フランジ部９２に嵌合される前記嵌合部４と協働して、缶胴部９１の上下端部を挟持する。このため、分割カバー２が缶胴部９１に固定される。
係止部５は、缶胴部９１の下端部に当たって該下端部に係止され得るように構成されていればよい。例えば、係止部５は、本体３の下端に沿って本体３の内側から突出された複数の棒状突起で構成されていてもよい。
本実施形態では、係止部５は、本体３の下端円周に沿って本体３の内側から突出された、所定幅の鍔状突起から構成されている。
該鍔状の係止部５の縁部には、分割カバー２の底面体７が一体的に延設されている。この底面体７は、分割カバー２を缶９に取り付けたときに、缶底面９３を覆う薄い板状の部分である。該底面体７は、上面視半円形状に形成されている。底面体７が延設されていることにより、缶用断熱カバー１を缶９に取り付けたとき、その底面体７によって缶底面９３を覆うことができる。このため、缶底面９３についても断熱できる。
本体３及び底面体７の厚みは、特に限定されないが、強度及び材料コストなどを考慮すると、０．５ｍｍ〜２ｍｍ程度が好ましい。
【００１９】
また、分割カバー２には、組み合わせられる他方の分割カバー２と結合するための結合手段が設けられている。
結合手段は、例えば、本体３の一側部の外面に突設された断面直角三角形状の楔部８１と、本体３の他側部の外面から延設され、且つ前記楔部８１に嵌められる孔部を有する架橋部８２と、から構成できる（図１及び図５（ｂ）参照）。
【００２０】
缶用断熱カバー１（分割カバー２）の材質及形成方法は、特に限定されないが、通常、合成樹脂の成形品が用いられる。合成樹脂としては、例えば、ポリプロピレン、ポリエチレンなどのポリオレフィン系、ポリエチレンテレフタレートなどのポリエステル系、ポリスチレン系などが挙げられる。中でも、曲げ特性に優れているので、ポリプロピレン系の合成樹脂が好ましい。
【００２１】
上記缶用断熱カバー１は、下記のようにして缶９に取り付けることができる。
１つの分割カバー２を缶胴部９１の側方から嵌め込み、缶フランジ部９２に嵌合部４を嵌合させる。さらに、他方の分割カバー２を缶胴部９１の他方から嵌め込み、缶フランジ部９２に嵌合部４を嵌合させつつ、両分割カバー２の架橋部８２を隣の分割カバー２の楔部８１にそれぞれ嵌める。これにより、２つの分割カバー２の本体３の側縁及び底面体７の縁が接合される。
このようにして極めて簡単に缶用断熱カバー１を缶９に取り付けることができる。
缶用断熱カバー１を取り付けた缶９は、缶胴部９１の外面全体が本体３で覆われ且つ缶底面９３が底面対で覆われているので、缶胴部９１及び缶底面９３に手が直接触れることはない。
取り付けられた缶用断熱カバー１の本体３の突起部６の頂部が、缶胴部９１の外面に接触（又は近接）するため、缶胴部９１の外面と本体３との間に空隙Ａが生じる（図５（ａ）参照）。よって、缶用断熱カバー１を介して缶胴部９１を手で持っても、缶内の熱が伝わり難くなる。
前記空隙Ａは、円滑な曲面状の缶胴部を有する缶及び凹凸状の缶胴部を有する缶の何れであっても生じるので、本考案の缶用断熱カバー１は、取り付ける缶胴部９１の外面形状に拘わらず、断熱効果を発揮できる。
【００２２】
また、缶用断熱カバー１は、缶９に簡単に取り付けることができるので、断熱が必要になった缶９にのみ取り付けて使用できる。つまり、全ての缶９について断熱が必要とされないところ、本考案の缶用断熱カバー１は、所望の缶９に取り付ければ良いので、予め断熱ラベルなどが設けられた缶９に比して、コスト面及び環境面で優れている。
また、使用後、缶用断熱カバー１は、缶９から取り外すこともできるので、再度、他の缶へ再利用することもできる。
【００２３】
本考案の缶用断熱カバー１を取り付ける缶９は、少なくとも缶胴部９１の上端周囲に缶フランジ部９２が形成されていることを条件として、特に限定されない。例えば、該缶９は、缶胴部９１の上端周囲及び下端周囲にそれぞれ缶フランジ部９２が形成されていてもよいし、或いは、缶胴部９１の上端周囲にのみ缶フランジ部９２が形成されていてもよい。
なお、缶フランジ部９２は、缶胴部９１の端部周囲と缶蓋（缶上面又は缶底面９３）の端部周囲とを密封状に繋ぐ部分であり、一般には、二重巻締部分である。
【００２４】
上記実施形態では、缶用断熱カバー１は、略半円曲面状の本体３を有する２つの分割カバー２から構成されているので、最小限の分割カバー数で、缶胴部９１の外面全体を覆うことができる。もっとも、本考案の缶用断熱カバーは、２つの分割カバー２から構成されている場合に限られず、例えば、図６に示すように、３つの分割カバー２から構成されていてよく、特に図示しないが、４つの分割カバー２から構成されていてよい。３つ以上で構成されている場合においても、各分割カバー２は、実質的に同じ形状とされていることが好ましい。例えば、缶用断熱カバー１が、３つの分割カバー２で構成される場合、該分割カバー２は、本体３の周長が、缶用断熱カバー１の周長の１／３となるように形成される。
【００２５】
また、上記実施形態では、分割カバー２の係止部５に底面体７が延設されているが、例えば、図７に示すように、分割カバー２には、（缶底面９３を覆う底面体７が延設されておらず）鍔状の係止部５のみが形成されていてもよい。この場合、缶底面９３が缶用断熱カバー１で覆われなくなるが、缶胴部９１は缶用断熱カバー１で覆われているので、この部分を手で持てばよい。
【００２６】
さらに、上記実施形態では、突起部６は、凸部が連なった長い連続突起とされているが、突起部６は、この形状に限定されず、例えば、図８に示すように、短い連続突起とされていてもよく、又、特に図示しないが、突起部６は、点状突起、その他任意形状の突起であってもよい。何れの形状の突起部であっても、突起部が本体３の複数箇所から突設されていることにより、缶胴部９１と本体３の間に空隙を確保できる。
【００２７】
また、上記実施形態では、分割カバー２を組み合わせた缶用断熱カバー１は、有底略円筒状（分割カバー２が底面体７を有する場合）又は略円筒状（分割カバー２が底面体７を有しない場合）であり、該缶状断熱カバー１は、円柱状の缶胴部に好適に取り付けることができる。もっとも、分割カバー２を組み合わせた缶用断熱カバー１は、有底略円筒状又は略円筒状に限られず、缶胴部の形状に応じて、缶用断熱カバー１（分割カバー２）の形状を適宜変更してもよい。例えば、缶胴部が略四角柱状である場合、缶用断熱カバー１は、有底略四角筒状又は略四角筒状に形成することが好ましい。該有底略四角筒状又は略四角筒状の缶用断熱カバー１が２つの分割カバー２から構成される場合、該分割カバー２の本体３は、上面視略コの字状又は上面視略くの字状に形成され且つその２つの分割カバー２が実質的に同じ形状とされていることが好ましい。
【符号の説明】
【００２８】
１…缶用断熱カバー、２…分割カバー、３…本体、４…嵌合部、５…係止部、６…突起部、７…底面体、９…缶、９１…缶胴部、９２…缶フランジ部、９３…缶底面
【図１】
0003150953.tif 000003
【図２】
0003150953.tif 000004
【図３】
0003150953.tif 000005
【図４】
0003150953.tif 000006
【図５】
0003150953.tif 000007
【図６】
0003150953.tif 000008
【図７】
0003150953.tif 000009
【図８】
0003150953.tif 000010